(57)【要約】【課題】  身体の部分をサポートする方法を提供する。【解決手段】  身体の部分をサポートする方法は、ａ．キネシオロジテープのプレカット片のアンカー部の粘着面から第１の剥離ライナー部を除去するステップと、ｂ．身体の部分の概ね平らな表面にアンカー部の粘着面を貼付するステップと、ｃ．キネシオロジテープのプレカット片のフィンガー部の非粘着面上のフィンガー補強レイヤーを残したまま、フィンガー部の粘着面から第２の剥離ライナー部を除去するステップと、ｄ．ｃのステップの後に、キネシオロジテープのプレカット片を概ね平らな表面に概ね平らに置くために、概ね平らな表面にフィンガー部の粘着面を貼付するステップと、ｅ．ｄのステップの後に、フィンガー部の非粘着面上のフィンガー補強レイヤーを除去するステップとから構成される。【選択図】  図７
2016168333.tif 000002
【特許請求の範囲】
【請求項１】
身体の部分をサポートする方法であって、
ａ．キネシオロジテープのプレカット片のアンカー部の粘着面から第１の剥離ライナー部を除去するステップと、
ｂ．前記身体の部分の概ね平らな表面に前記アンカー部の前記粘着面を貼付するステップと、
ｃ．前記キネシオロジテープのプレカット片のフィンガー部の非粘着面上のフィンガー補強レイヤーを残したまま、前記フィンガー部の粘着面から第２の剥離ライナー部を除去するステップと、
ｄ．前記ｃのステップの後に、前記キネシオロジテープのプレカット片を前記概ね平らな表面に概ね平らに置くために、前記概ね平らな表面に前記フィンガー部の前記粘着面を貼付するステップと、
ｅ．前記ｄのステップの後に、前記フィンガー部の前記非粘着面上の前記フィンガー補強レイヤーを除去するステップとからなる身体の部分をサポートする方法。
【請求項２】
前記身体の部分は、背中である請求項１に記載の身体の部分をサポートする方法。
【請求項３】
前記身体の部分は、背下部である請求項２に記載の身体の部分をサポートする方法。
【請求項４】
前記ｂのステップは、前記アンカー部が前記背下部にわたって横方向に延びるように、前記アンカー部の前記粘着面を貼付することを含み、前記ｄのステップは、前記フィンガー部が前記アンカー部から前記背下部に沿って上方に延びるように、前記フィンガー部の前記粘着面を貼付することを含む請求項３に記載の身体の部分をサポートする方法。
【請求項５】
前記ｄのステップは、前記概ね平らな表面に前記フィンガー部の前記粘着面を貼付する際に、前記フィンガー部が伸びることを抑制するために前記フィンガー補強レイヤーを使用する請求項１に記載の身体の部分をサポートする方法。
【請求項６】
前記アンカー部は、前記アンカー部の非粘着面上にアンカー補強レイヤーを備え、前記ａのステップは、さらに前記アンカー部の前記非粘着面上の前記アンカー補強レイヤーを残すことを含む請求項１に記載の身体の部分をサポートする方法。
【請求項７】
前記ｂのステップの後に、さらに前記アンカー部の前記非粘着面上から前記アンカー補強レイヤーを除去することを含む請求項６に記載の身体の部分をサポートする方法。
【請求項８】
i．前記キネシオロジテープのプレカット片の追加フィンガー部の非粘着面上の追加フィンガー補強レイヤーを残したまま、前記追加フィンガー部の粘着面から追加剥離ライナー部を除去するステップと、
ii．前記iのステップの後に、前記キネシオロジテープのプレカット片を前記概ね平らな表面に概ね平らに置くために、前記概ね平らな表面に前記追加フィンガー部の前記粘着面を貼付するステップと、
iii．前記iiのステップの後に、前記追加フィンガー部の前記非粘着面から前記追加フィンガー補強レイヤーを除去するステップをさらに含む請求項１に記載の身体の部分をサポートする方法。
【請求項９】
１以上の前記フィンガー補強レイヤー及び前記追加フィンガー補強レイヤーは、表面に指示が印刷されていることを含み、前記指示と一致する順番で前記フィンガー部と前記追加フィンガー部を貼付する方法を含む請求項８に記載の身体の部分をサポートする方法。
【請求項１０】
身体の部分をサポートする方法であって、
ａ．キネシオロジテープのプレカット片のアンカー部の粘着面から第１の剥離ライナー部を除去するステップと、
ｂ．前記身体の部分の表面に前記アンカー部の前記粘着面を貼付するステップと、
ｃ．前記キネシオロジテープのプレカット片のフィンガー部の粘着面から第２の剥離ライナー部を除去するステップと、
ｄ．前記身体の部分の前記表面に前記フィンガー部の前記粘着面を貼付する際に、前記フィンガー部が伸びることを抑制するために前記フィンガー部の非粘着面上のフィンガー補強レイヤーを使用するステップと、
ｅ．前記ｄのステップの後に、前記フィンガー部の前記非粘着面上の前記フィンガー補強レイヤーを除去するステップとからなる身体の部分をサポートする方法。
【請求項１１】
前記ｂのステップは、前記身体の部分の前記表面に前記アンカー部の前記粘着面を貼付する際に、前記アンカー部が伸びることを抑制するために前記アンカー部の非粘着面上のアンカー補強レイヤーを使用する請求項１０に記載の身体の部分をサポートする方法。
【請求項１２】
さらに前記アンカー部の前記非粘着面から前記アンカー補強レイヤーを除去することを含む請求項１１に記載の身体の部分をサポートする方法。
【請求項１３】
前記身体の部分の前記表面は概ね平らである請求項１０に記載の身体の部分をサポートする方法。
【請求項１４】
前記身体の部分は、背中である請求項１３に記載の身体の部分をサポートする方法。
【請求項１５】
前記身体の部分は、背下部である請求項１４に記載の身体の部分をサポートする方法。
【請求項１６】
前記ｂのステップは、前記アンカー部が前記背下部にわたって横方向に延びるように、前記アンカー部の前記粘着面を貼付することを含み、前記ｄのステップは、前記フィンガー部が前記アンカー部から前記背下部に沿って上方に延びるように、前記フィンガー部の前記粘着面を貼付することを含む請求項１５に記載の身体の部分をサポートする方法。
【請求項１７】
i．前記キネシオロジテープのプレカット片の追加フィンガー部の粘着面から追加剥離ライナー部を除去するステップと、
ii．前記身体の部分の前記表面に前記追加フィンガー部の前記粘着面を貼付する際に、前記追加フィンガー部が伸びることを抑制するために前記追加フィンガー部の非粘着面上の追加フィンガー補強レイヤーを使用するステップと、
iii．前記iiのステップの後に、前記追加フィンガー部の前記非粘着面から前記追加フィンガー補強レイヤーを除去するステップをさらに含む請求項１０に記載の身体の部分をサポートする方法。
【請求項１８】
１以上の前記フィンガー補強レイヤー及び前記追加フィンガー補強レイヤーは、表面に指示が印刷されていることを含み、前記指示と一致する順番で前記フィンガー部と前記追加フィンガー部を貼付する方法を含む請求項１７に記載の身体の部分をサポートする方法。
【請求項１９】
背下部用のサポート具であって、
ａ．粘着面と非粘着面を備えたキネシオロジテープのプレカット片を備え、前記キネシオロジテープのプレカット片は、前記背下部に貼付する１つのアンカー部と、前記アンカー部の第１の側から横方向に延びて、前記背下部に貼付する複数のフィンガー部を備え、
ｂ．前記キネシオロジテープのプレカット片の粘着面上に剥離ライナーを備え、前記剥離ライナーは前記アンカー部と前記複数のフィンガー部との間の１以上の連接部に沿って弱められており、
ｃ．前記キネシオロジテープのプレカット片の非粘着面に貼付された伸縮抑制補強レイヤーを備え、前記伸縮抑制補強レイヤーは前記アンカー部と前記複数のフィンガー部との間の１以上の連接部に沿って弱められており、または前記アンカー部上及び前記複数のフィンガー部上に分離されたピースとして備えられていることを特徴とする背下部用のサポート具。
【請求項２０】
前記複数のフィンガー部は、前記アンカー部の第１の側のみから延びている請求項１９に記載の背下部用のサポート具。
【請求項２１】
前記剥離ライナーは剥離ライナー厚みを備え、前記伸縮抑制補強レイヤーは、前記剥離ライナー厚みよりも小さい伸縮抑制補強レイヤー厚みを備えている請求項１９に記載の背下部用のサポート具。
【請求項２２】
前記伸縮抑制補強レイヤーには、第１のセットの指示が印刷されている請求項１９に記載の背下部用のサポート具。
【請求項２３】
前記剥離ライナーには、第２のセットの指示が印刷されている請求項２２に記載の背下部用のサポート具。
【請求項２４】
前記伸縮抑制補強レイヤーは、紙レイヤーである請求項１９に記載の背下部用のサポート具。
【請求項２５】
前記剥離ライナーは、前記１以上の連接部に沿ってミシン目が入れられている請求項１９に記載の背下部用のサポート具。
【請求項２６】
前記剥離ライナーは、除去する際に前記剥離ライナーの折り曲げを促進するフォールドラインが表面に備えられている請求項１９に記載の背下部用のサポート具。
【請求項２７】
背下部をサポートするためのシステムであって、
ａ．粘着面と非粘着面を備えたキネシオロジテープのプレカット片を備え、前記キネシオロジテープのプレカット片は、背下部に貼付する１つのアンカー部と、前記アンカー部の第１の側から横方向に延びて、背下部に貼付する複数のフィンガー部を備え、
ｂ．前記キネシオロジテープのプレカット片の粘着面上に剥離ライナーを備え、前記剥離ライナーは前記アンカー部と前記複数のフィンガー部との間の１以上の連接部に沿って弱められており、
ｃ．前記キネシオロジテープのプレカット片の非粘着面に貼付された伸縮抑制補強レイヤーを備え、前記伸縮抑制補強レイヤーは複数のフィンガー補強レイヤーと１つのアンカー補強レイヤーを備えており、
ｄ．各フィンガー部を前記背下部に貼付させた後に、前記各フィンガー部から各フィンガー補強レイヤーを除去することをユーザーに案内をする指示を備えている背下部をサポートするためのシステム。
【発明の詳細な説明】
【技術分野】
【０００１】
［関連出願の相互参照］
本出願は、２０１５年３月１０日付けで提出された米国仮特許出願第６２／１３０８１６号の優先権を主張するもので、この仮出願の開示内容は、本明細書での参照によって、本明細書に明示的に組み込まれる。
［技術分野］
本発明は、背下部のような身体の部分をサポートするためのシステム、方法及び装置に関する。より詳しくは、プレカット・キネシオロジテープ（precut kinesiology tape）、プレカット・キネシオロジテープを含むシステム、及び身体の部分をサポートするためにプレカット・キネシオロジテープを使用する方法に関する。
【背景技術】
【０００２】
米国特許第８７４２１９６号（アーベスマン他）では、ユーザーの身体の部分をサポートするための粘着式のサポート具（support article）が開示されている。片面の伸縮性のある片面式のテープブランク（tape blank）は、中央のアンカー部と外側に延びる複数のフィンガーを備えたシートにカットされている。身体の部分の第１の外面に中央のアンカー部を貼り付けるため、及び中央のアンカー部から所定の距離を離して複数のフィンガーを貼付する前に複数のフィンガーを伸ばすために、シートには、サポート具のユーザーを案内するための可視的な表示（visual indicator）が記されている。また、粘着式のサポート具は、所望の身体の部分にサポート具を貼り付けるための案内をさらに備える少なくとも１つの対応する身体ランドマーク体（body landmark article）を備えたサポートシステムに提供されることもできる。
【０００３】
米国特許出願公開２０１１−１５５５６（ファボ他）では、プラスチックフィルムの皮膚への貼付を促進するための硬化レイヤー（stiffening layer）が開示されている。このプラスチックフィルムは、創傷被膜材（wound dressing）またはその他の医療器具の部品であり、プラスチックフィルムの表面の一面に着脱可能に硬化レイヤーを備えている。プラスチックフィルムの他の面の少なくとも一部には、接着材の層が備えられている。硬化レイヤーは０．５〜１０ｍｍの厚さの伸縮可能な材料で作られている。硬化レイヤーはプラスチックフィルムの大部分の領域を覆っており、切断線または線により２以上の部分に分けられている。
【先行技術文献】
【特許文献】
【０００４】
【特許文献１】米国特許第８７４２１９６号
【特許文献２】米国特許出願公開２０１１−１５５５６
【発明の概要】
【発明が解決しようとする課題】
【０００５】
【課題を解決するための手段】
【０００６】
以下の概要は、読み手に本明細書が教示する様々な態様を紹介するものであり、各発明の範囲を区切るものではない。
【０００７】
本発明の１つの態様によれば、身体の部分をサポートする方法が提供される。この方法は、ａ．キネシオロジテープのプレカット片（precut piece of kinesiology tape）のアンカー部（anchor portion）の粘着面から第１の剥離ライナー部（release liner portion）を除去するステップと、ｂ．身体の部分の概ね平らな表面にアンカー部の粘着面を貼付するステップと、ｃ．キネシオロジテープのプレカット片のフィンガー部（finger portion）の非粘着面上のフィンガー補強レイヤー（finger reinforcement layer）を残したまま、フィンガー部の粘着面から第２の剥離ライナー部を除去するステップと、ｄ．ｃのステップの後に、キネシオロジテープのプレカット片を概ね平らな表面に概ね平らに置くために、概ね平らな表面にフィンガー部の粘着面を貼付するステップと、ｅ．ｄのステップの後に、フィンガー部の非粘着面上のフィンガー補強レイヤーを除去するステップとから構成される。
【０００８】
例えば、身体の部分は、背中でもよい。より詳しくは、背下部でもよい。
【０００９】
例えば、ｂのステップは、アンカー部が背下部にわたって横方向に延びるように、アンカー部の粘着面を貼付することを含んでいてもよい。ｄのステップは、フィンガー部がアンカー部から背下部に沿って上方に延びるように、フィンガー部の粘着面を貼付することを含んでいてもよい。
【００１０】
例えば、ｄのステップは、概ね平らな表面にフィンガー部の粘着面を貼付する際に、フィンガー部が伸びることを抑制するためにフィンガー補強レイヤーを使用することを含んでいてもよい。
【００１１】
例えば、アンカー部は、アンカー部の非粘着面上にアンカー補強レイヤー（anchor reinforcement layer）を備えていてもよい。ａのステップは、さらにアンカー部の非粘着面上にアンカー補強レイヤーを残すことを含んでいてもよい。この方法では、ｂのステップの後に、さらにアンカー部の非粘着面上からアンカー補強レイヤーを除去することを含んでいてもよい。
【００１２】
例えば、この方法は、i．キネシオロジテープのプレカット片の追加フィンガー部の非粘着面上の追加フィンガー補強レイヤーを残したまま、追加フィンガー部の粘着面から追加剥離ライナー部を除去するステップと、ii．iのステップの後に、キネシオロジテープのプレカット片を概ね平らな表面に概ね平らに置くために、概ね平らな表面に追加フィンガー部の粘着面を貼付するステップと、iii．iiのステップの後に、追加フィンガー部の非粘着面から追加フィンガー補強レイヤーを除去するステップをさらに含んでいてもよい。
【００１３】
例えば、１以上のフィンガー補強レイヤー及び追加フィンガー補強レイヤーは、その表面に指示が印刷されていることを含んでいてもよい。この方法では、該指示と一致する順番でフィンガー部と追加フィンガー部を貼付することをさらに含んでいてもよい。
【００１４】
本発明の他の態様によれば、身体の部分をサポートする方法が提供される。この方法は、ａ．キネシオロジテープのプレカット片のアンカー部の粘着面から第１の剥離ライナー部を除去するステップと、ｂ．身体の部分の表面にアンカー部の粘着面を貼付するステップと、ｃ．キネシオロジテープのプレカット片のフィンガー部の粘着面から第２の剥離ライナー部を除去するステップと、ｄ．身体の部分の表面にフィンガー部の粘着面を貼付する際に、フィンガー部が伸びることを抑制するためにフィンガー部の非粘着面上のフィンガー補強レイヤーを使用するステップと、ｅ．ｄのステップの後に、フィンガー部の非粘着面上のフィンガー補強レイヤーを除去するステップとから構成される。
【００１５】
例えば、ｂのステップは、身体の部分の表面にアンカー部の粘着面を貼付する際に、アンカー部が伸びることを抑制するためにアンカー部の非粘着面上のアンカー補強レイヤーを使用することを含んでいてもよい。この方法は、さらにアンカー部の非粘着面からアンカー補強レイヤーを除去することを含んでいてもよい。
【００１６】
例えば、身体の部分の表面は概ね平らであってもよい。また例えば、身体の部分は背中でもよく、またはより詳しくは背下部であってもよい。
【００１７】
例えば、ｂのステップは、アンカー部が背下部にわたって横方向に延びるように、アンカー部の粘着面を貼付することを含んでいてもよい。ｄのステップは、フィンガー部がアンカー部から背下部に沿って上方に延びるように、フィンガー部の粘着面を貼付することを含んでいてもよい。
【００１８】
例えば、この方法は、i．キネシオロジテープのプレカット片の追加フィンガー部の粘着面から追加剥離ライナー部を除去するステップと、ii．身体の部分の表面に追加フィンガー部の粘着面を貼付する際に、追加フィンガー部が伸びることを抑制するために追加フィンガー部の非粘着面上の追加フィンガー補強レイヤーを使用するステップと、iii．iiのステップの後に、追加フィンガー部の非粘着面から追加フィンガー補強レイヤーを除去するステップをさらに含んでいてもよい。
【００１９】
例えば、１以上のフィンガー補強レイヤー及び追加フィンガー補強レイヤーは、その表面に指示が印刷されていることを含んでいてもよい。この方法では、該指示と一致する順番でフィンガー部と追加フィンガー部を貼付することをさらに含んでいてもよい。
【００２０】
本発明の他の態様によれば、背下部用のサポート具（support article）が提供される。このサポート具は、粘着面と非粘着面を備えたキネシオロジテープのプレカット片を備えている。キネシオロジテープのプレカット片は、背下部に貼付する１つのアンカー部と、アンカー部の第１の側から横方向に延びて、背下部に貼付する複数のフィンガー部を備えている。キネシオロジテープのプレカット片の粘着面上には、剥離ライナーを備えている。剥離ライナーはアンカー部と複数のフィンガー部との間の１以上の連接部に沿って弱められている。キネシオロジテープのプレカット片の非粘着面に貼付された伸縮抑制補強レイヤー（stretch-inhibiting reinforcement layer）を備えている。伸縮抑制補強レイヤーはアンカー部と複数のフィンガー部との間の１以上の連接部に沿って弱められており、またはアンカー部上及び複数のフィンガー部上に分離されたピース（separate piece）として備えられている。
【００２１】
例えば、複数のフィンガー部は、アンカー部の第１の側のみから延びていてもよい。
【００２２】
例えば、剥離ライナーは剥離ライナー厚みを備え、伸縮抑制補強レイヤーは、剥離ライナー厚みよりも小さい伸縮抑制補強レイヤー厚みを備えている。
【００２３】
例えば、伸縮抑制補強レイヤーには、第１のセットの指示が印刷されていてもよい。また、このサポート具は、剥離ライナーには、第２のセットの指示が印刷されていてもよい。
【００２４】
例えば、伸縮抑制補強レイヤーは、紙レイヤーである。
【００２５】
例えば、剥離ライナーは、１以上の連接部に沿って穴が開けられている。
【００２６】
例えば、剥離ライナーには、除去する際に剥離ライナーの折り曲げを促進するフォールドラインが表面に備えられている。
【００２７】
本発明の他の態様によれば、背下部をサポートするためのシステムが提供される。このシステムは、粘着面と非粘着面を備えたキネシオロジテープのプレカット片を備えている。キネシオロジテープのプレカット片は、背下部に貼付する１つのアンカー部と、アンカー部の第１の側から横方向に延びて、背下部に貼付する複数のフィンガー部を備えている。キネシオロジテープのプレカット片の粘着面上には、剥離ライナーを備えている。剥離ライナーはアンカー部と複数のフィンガー部との間の１以上の連接部に沿って弱められている。キネシオロジテープのプレカット片の非粘着面に貼付された伸縮抑制補強レイヤーを備えている。伸縮抑制補強レイヤーは複数のフィンガー補強レイヤーと１つのアンカー補強レイヤーを備えている。このシステムには、各フィンガー部を背下部に貼付させた後に、各フィンガー部から各フィンガー補強レイヤーを除去することをユーザーに案内をする指示が備えられている。
【図面の簡単な説明】
【００２８】
【図１】サポート具の実施例の背面斜視図である。
【図２】図１のサポート具の前面斜視図である。
【図３】図１のサポート具の背面図である。
【図４】円形領域を拡大した図を備えた図１のサポート具の側面図である。
【図５】図１のサポート具の正面図である。
【図６】剥離ライナーをテープから部分的に剥がした状態を示す図１のサポート具の背面斜視図である。
【図７】補強レイヤーをテープから部分的に剥がした状態を示す図１のサポート具の正面斜視図である。
【図８】図１のサポート具のテープの正面図である。
【図９】患者の背中に図１のサポート具を貼付する一連のステップを示す図である。
【図１０】患者の背中に図１のサポート具を貼付する一連のステップを示す図である。
【図１１】患者の背中に図１のサポート具を貼付する一連のステップを示す図である。
【図１２】患者の背中に図１のサポート具を貼付する一連のステップを示す図である。
【図１３】患者の背中に図１のサポート具を貼付する一連のステップを示す図である。
【図１４】患者の背中に図１のサポート具を貼付する一連のステップを示す図である。
【図１５】患者の背中に図１のサポート具を貼付する一連のステップを示す図である。
【図１６】患者の背中に図１のサポート具を貼付する一連のステップを示す図である。
【図１７】図１のサポート具とは異なる形状の別の実施例のサポート具の正面斜視図である。
【図１８】図１７のサポート具の正面図である。
【図１９】図１７のサポート具のテープの正面図である。
【図２０】テープのアンカー部とフィンガー部との連接部に沿って補強レイヤーを弱めた別の実施例のサポート具の正面図である。
【図２１】補強レイヤーを分離されたピースとして備えた別の実施例のサポート具の正面斜視図である。
【図２２】図２１のサポート具のフィンガー補強レイヤーの正面斜視図である。
【発明を実施するための形態】
【００２９】
特許請求の範囲に記載された対象の実施の形態の例を提供するために、以下でいくつかの器具または方法を説明する。以下で説明される実施の形態は特許請求の範囲を限定するものではなく、以下で説明されるものとは異なる方法や器具も特許請求の範囲に含まれる。特許請求の範囲は、以下で説明されるいずれか１つの方法または器具の特徴の全てを備えた器具または方法に限定されるものではなく、以下で説明される器具の全てまたは複数に共通する特徴に限定されるものではない。以下で説明する器具または方法は、この特許出願によって得られる独占的な権利を実施する場合の器具または方法ではない可能性がある。以下の説明の対象であり、この特許出願によって独占的な権利を得ることができないものが、例えば継続特許出願のような他の保護手段の対象となる可能性がある。この明細書で開示されたいずれの対象も出願人、発明者または所有者が放棄、権利不要求または公への献呈（dedicate to the public）を意図するものではない。
【００３０】
図１〜８には、サポート具１００の実施例が示されている。以下で詳しく説明するように、サポート具１００は、例えば、身体の部分をサポートするために使用されるが、背下部に限定されるわけではない。
【００３１】
図４及び図６〜８に示すように、この実施例では、サポート具１００はキネシオロジテープのプレカット片１０２（以下では「テープ１０２」という）を備えている。テープ１０２は適当なキネシオロジテープのいずれかを用いることができる。一例としては、片面に接着剤を備えた、高い伸縮性（high elasticity）を持つ織物のストリップが含まれる（すなわち、長さ寸法における伸縮比は１．４である）。例としては、ストリップは綿で作られたものでもよく、接着剤は肌に使用するのに適したアクリル接着剤（acrylic adhesive）でもよい。
【００３２】
接着剤を備えるテープ１０２の一方の面は粘着面１０４であり（図６参照）、テープ１０２の対向する面は非粘着面１０６である（図７参照）。
【００３３】
図１，３及び６に示すように、この実施例では、サポート具１００は、テープ１０２の粘着面１０４の上に剥離ライナー１０８をさらに備えている。剥離ライナー１０８は保管時に粘着面を保護し、テープ１０２を身体の部分に貼り付けるために除去される。
【００３４】
図２，５及び７に示すように、この実施例では、サポート具１００は、テープ１０２の非粘着面１０６の上に補強レイヤー１１０をさらに備えている。補強レイヤー１１０は取り外し可能に非粘着面１０６に貼付しており、非粘着面１０６から除去した時には、非粘着面１０６に接着剤が概ね残らない。以下で詳細に説明するように、補強レイヤー１１０はテープ１０２を身体の部分に貼り付けるのを助ける。例えば、テープ１０２を硬化させたり、テープ１０２が折れ曲がってテープ１０２自身に貼付してしまうことを抑制したり、貼り付ける際にテープ１０２が伸びてしまうことを抑制する。補強レイヤー１１０がテープ１０２が伸びるのを抑制する特定の例においては、補強レイヤー１１０は「伸縮抑制補強レイヤー」にもなる。
【００３５】
特定の例では、補強レイヤー１１０は紙でもよい。この例では、紙は概ね伸縮性がないため、補強レイヤー１１０はテープ１０２が伸びることを抑制することができる。紙レイヤーの厚み（「補強レイヤー厚み」という）は、例えば、約０．１ｍｍである。さらに、いくつかの例では、補強レイヤー厚みは、剥離ライナーの厚み（「剥離ライナー厚み」という）よりも小さい。例えば、補強レイヤー厚みは約０．０５ｍｍ〜約０．１５ｍｍでもよく、剥離ライナー厚みは約０．１８ｍｍ〜約０．２８ｍｍでもよい。
【００３６】
上述のように、この実施例ではテープ１０２はカット済みである。特に、図８に示すように、テープ１０２は、アンカー部１１２と、アンカー部１１２から延びる複数のフィンガー部１１４ａ〜１１４ｄを備えるようにカットされている。アンカー部１１２は略長方形であり、互いに対向する第１の側１１６と第２の側１１８とを備え、互いに対向する第１の端部１２０と第２の端部１２２とを備えている。図８で示す実施例では、フィンガー部１１４ａ〜１１４ｄは、アンカー部１１２の第１の側１１６のみから横方向に延びている。以下で詳しく説明するように、使用時は、アンカー部１１２が背下部にわたって横方向に延びるように、アンカー部１１２を背下部に貼付し、フィンガー部１１４ａ〜１１４ｄがアンカー部１１２から背下部に沿って上方に延びるように、フィンガー部１１４ａ〜１１４ｄをアンカー部１１２の上の背下部に貼付する。
【００３７】
別の実施例では、テープを他の形状にカットする。例えば、図１７〜１９で示すように、別のサポート具１７００が示されている。図１７〜１９では、図１〜８と同様の部分には、図１〜８の参照番号に１６００を加えた参照番号を用いている。サポート具１７００において、テープ１７０２は、アンカー部１７１２の第１の端部１７２０から延びる２つのフィンガー部１７１４ａ，１７１４ｂと、アンカー部１７１２の第２の端部１７２２から延びる２つのフィンガー部１７１４ｃ，１７１４ｄとを備えている。
【００３８】
さらに別の実施例では、テープは他の形状でもよい。例えば、複数のフィンガー部がアンカー部の両側及び／またはアンカー部の１つの端部から延びていてもよい。さらには、アンカー部が正方形のような他の形状をしていてもよい。
【００３９】
図１，３及び６に戻ると、剥離ライナー１０８はアンカー部１１２とフィンガー部１１４ａ〜１１４ｄとの間の１以上の連接部に沿って弱められていてもよい。図１〜８に示す例では、剥離ライナー１０８はアンカー部１１２とフィンガー部１１４ａ〜１１４ｄとの間の連接部に沿って延びる単一線１２４に沿って弱められている。図１７〜１９で示す例では、剥離ライナーはアンカー部１７１２とフィンガー部１７１４との間の連接部に沿ってそれぞれ延びる２本の線１７２４ａ，１７２４ｂに沿って弱められている。
【００４０】
剥離ライナー１０８は、例えば、連接部に沿って、ミシン目を入れる（perforating）か、または切れ目を入れる（scoring）ことにより、弱められていてもよい。
【００４１】
剥離ライナー１０８をアンカー部１１２とフィンガー部１１４ａ〜１１４ｄとの間の連接部に沿って弱められることは、身体の部分へのテープ１０２の段階的な貼り付けを促進することができる。例えば、以下で詳しく説明するように、剥離ライナー１０８は、アンカー部１１２上の剥離ライナー１０８の部分１３４（「第１の剥離ライナー部１３４」という）と、フィンガー部１１４ａ〜１１４ｄ上の剥離ライナー１０８の部分１３６ａ〜１３６ｄ（「第２の剥離ライナー部１３６ａ〜１３６ｄ」という）とに分離されていてもよい。アンカー部１１２上の剥離ライナー１０８の部分１３４が除去された後、アンカー部１１２は身体の部分に貼り付けられる。フィンガー部１１４ａ〜１１４ｄ上の剥離ライナー１０８の部分１３６ａ〜１３６ｄが除去された後、フィンガー部１１４ａ〜１１４ｄは身体の部分に貼り付けられる。
【００４２】
図２，５及び７に戻ると、この実施例では、補強レイヤー１１０がテープ１０２の非粘着面１０６の全体を実質的に覆っている（すなわち、フィンガー部１１４ａ〜１１４ｄとアンカー部１１２の双方を覆っている）。特に、補強レイヤー１１０は、フィンガー部１１４ａ〜１１４ｄのそれぞれの上のフィンガー補強レイヤー１３８ａ〜１３８ｄと、アンカー部１１２上のアンカー補強レイヤー１４０を備えている。フィンガー補強レイヤー１３８ａ〜１３８ｄはフィンガー部１１４ａ〜１１４ｄを覆っているが、フィンガー部１１４ａ〜１１４ｄの先端には、小さい覆われていない部分１３９がある。覆われていない部分１３９は、フィンガー補強レイヤー１３８ａ〜１３８ｄをテープ１０２から除去する際に、フィンガー補強レイヤー１３８ａ〜１３８ｄをつかみやすくするために、覆われていないままになっている。
【００４３】
別の実施例では、補強レイヤー１１０はテープ１０２の非粘着面１０６の一部のみを覆っている。例えば、補強レイヤー１１０はフィンガー部１１４の上のみにあってもよい（すなわち、フィンガー補強レイヤー１３８ａ〜１３８ｄのみであってもよい）。
【００４４】
図１〜８で示すサポート具１００では、補強レイヤー１１０は弱めた部分のない単一のピース（single piece）として備えられている。図２０では、別のサポート具２０００が示されている。図２０において、図１〜８と同様の部分には、図１〜８の参照番号に１９００を加えた参照番号を用いている。サポート具２０００においては、補強レイヤー２０１０は単一のピースとして備えられており、補強レイヤー２０１０の段階的な除去を促進するために、アンカー部と複数のフィンガー部との間の連接部に沿った線２０２４に沿って弱められている。図２１では、さらに別のサポート具２１００が示されている。図２１において、図１〜８と同様の部分には、図１〜８の参照番号に２０００を加えた参照番号を用いている。サポート具２１００においては、補強レイヤー２１１０は分離されたピースとして備えられており、アンカー部上にアンカー補強レイヤー２１４０を備え、複数のフィンガー部上にフィンガー補強レイヤー２１３８ａ〜２１３８ｄを備えている。図２２は、テープから除去されたフィンガー補強レイヤー２１３８ａを示している。この実施例では、フィンガー補強レイヤー２１３８ａ〜２１３８ｄは、フィンガー部２１１４ａ〜２１１４ｄを越えて延びたタブ２１４４を備えている。この実施例のタブ２１４４は、接着剤を備えていない。別の実施例では、製造を容易にする例として、タブに接着剤を備えていてもよい。タブ２１４４は、フィンガー補強レイヤー２１３８ａ〜２１３８ｄのそれぞれの対向する端部に備えられている。フィンガー部を患者に貼り付ける時にタブ２１４４をつかむことにより、フィンガー部２１１４ａ〜２１１４ｄ自体をつかむ必要がないようにすることで、フィンガー部２１１４ａ〜２１１４ｄ上の接着剤を汚すことを防ぐか、汚すリスクを減らしている。フィンガー補強レイヤー２１３８ａ〜２１３８ｄをテープから除去するためにも、タブ２１４４をつかむことができる。
【００４５】
図１及び３に戻ると、この実施例では、剥離ライナー１０８を除去する際に剥離ライナー１０８が折れ曲がることを促進させるために、剥離ライナー１０８は、その表面にフォールドライン（fold line）１２６ａ〜１２６ｄを備えている。剥離ライナー１０８のどこを折り曲げるかをユーザーに指し示すために、例えば、剥離ライナー１０８にフォールドライン１２６ａ〜１２６ｄを印刷していてもよい。あるいは、または加えて、フォールドライン１２６ａ〜１２６ｄは剥離ライナー１０８に形成された折り目（crease）であってもよい。以下で詳しく説明するように、使用時には、線１２４から各フォールドライン１２６ａ〜１２６ｄに向かって第２の剥離ライナー部１３６ａ〜１３６ｄを上方に剥がすことにより、各第２の剥離ライナー部１３６ａ〜１３６ｄを各フィンガー部１１４ａ〜１１４ｄから除去することができる。第２の剥離ライナー部１３６ａ〜１３６ｄを各フォールドライン１２６ａ〜１２６ｄまで剥がした時に、剥がすことを止める。フォールドライン１２６ａ〜１２６ｄに沿って折り目を作っておくか、または剥離ライナー１０８のフォールドライン１２６ａ〜１２６ｄにある既成の折り目に沿って剥離ライナー１０８を折り曲げることにより、剥離ライナー１０８はフォールドライン１２６ａ〜１２６ｄで折り曲がる。フォールドライン１２６ａ〜１２６ｄより上の剥離ライナー１０８の部分は、テープ１０２に貼付したままである。このフォールドライン１２６ａ〜１２６ｄより上の部分がつかみ部１２８を構成している（図面上は１つのつかみ部にのみ参照番号を付している）。ユーザーは指にテープ１０２を貼付することなく、つかみ部１２８をつかむことができる。各フィンガー部１１４ａ〜１１４ｄの残りの部分（すなわちフォールドライン１２６ａ〜１２６ｄより下の部分）を患者に貼り付けた後、つかみ部１２８をフィンガー部１１４ａ〜１１４ｄから除去する。
【００４６】
図１及び２に示すように、この実施例では、補強レイヤー１１０に第１のセットの指示１３０が印刷されており（図２参照）、剥離ライナー１０８に第２のセットの指示１３２が印刷されている（図１参照）。これらの指示は、ユーザーに段階的な方法（stepwise fashion）で身体にテープ１０２を貼り付けることを案内することができる。
【００４７】
この実施例では、１の番号を含めた指示がアンカー部１１２を覆う剥離ライナー１０８の部分（すなわち、第１の剥離ライナー部１３４）と、アンカー部１１２の上の補強レイヤー１１０の部分（アンカー補強レイヤー１４０）とに印刷されている。さらに、２〜５の番号を含めた指示が、それぞれ、フィンガー部１１４ａ〜１１４ｄを覆う剥離ライナー１０８の部分（すなわち、第２の剥離ライナー部１３６ａ〜１３６ｄ）と、フィンガー部１１４ａ〜１１４ｄの上の補強レイヤー１１０の部分（フィンガー補強レイヤー１３８ａ〜１３８ｄ）とに印刷されている。以下で詳しく説明するように、使用時には、ユーザーは指示１３０，１３２に案内され、まずアンカー部１１２を身体に貼り付け、その後、フィンガー部１１４をそれぞれ順次に身体に貼り付ける。
【００４８】
この実施例では、補強レイヤー１１０と剥離ライナー１０８の両方に指示が備えられているため（それぞれ１３０，１３２）、ユーザーは、サポート具１００を背面から見た場合と、サポート具１００を正面か見た場合の両方で指示を見ることができる。したがって、ユーザーは、剥離ライナー１０８を除去する時と、テープ１０２を身体に貼り付ける時（すなわち、剥離ライナー１０８がユーザーと向かい合っていない時は、補強レイヤー１１０が見える）の両方で、指示を見ることができる。これにより、貼り付けが容易になる。
【００４９】
別の実施例では、剥離ライナー１０８と補強レイヤー１１０のどちらか一方のみに指示を付すこともできる。さらに別の実施例では、剥離ライナー１０８と補強レイヤー１１０から分離して指示を提供することもできる。例えば、指示をサポート具１００から分離して、サポート具１００と一緒に包装して販売することもできる。
【００５０】
以下で詳しく説明するように、場合によっては、テープ１０２を貼り付けている間は、テープ１０２上にフィンガー補強レイヤー１３８ａ〜１３８ｄを残しておくことが望ましい。このような実施例においては、各フィンガー部１１４ａ〜１１４ｄを身体に貼り付けた後に、各フィンガー部１１４ａ〜１１４ｄから各フィンガー補強レイヤー１３８ａ〜１３８ｄをそれぞれ除去するように、ユーザーに案内する指示（図示しない）が備えられている。これらの指示はサポート具に印刷されるか（例えば、剥離ライナー１０８及び／または補強レイヤー１１０上に）、分離されて提供される（例えば、サポート具と一緒に包装されて）。
【００５１】
サポート具といずれかの指示（サポート具１００に印刷されていても、サポート具１００と分離していても）は、共同で身体の部分をサポートするためのシステムとなる。
【００５２】
図９〜１６には、既述のサポート具１００を用いて身体の部分をサポートする方法の一例が示されている。簡素化のために、図９〜１６では第１のセットの指示１３０及び第２のセットの指示１３２は表していない。
【００５３】
補強レイヤー１１０は、テープ１０２のフィンガー部１１４を貼り付けている間は概ね平らな状態で保持するので、サポート具１００がサポートするのに特に有益な概ね平らな表面を備えた身体の部分を決定する。ここで用いる、「平らな表面を備えた身体の部分」というフレーズは、テープ１０２で実質的または全体的に包むことせずにテープ１０２を貼付することができる身体の部分である。サポート具１００の対象は、背中より具体的には背下部、大腿部、腹部及び胸部を含む平らな表面を備えた身体の部分である。しかしながら、別の実施例では、サポート具１００は平らでない表面の身体の部分にも使用することができる。
【００５４】
図９〜１６に示すこの実施例では、サポート具１００は患者の背下部１４２をサポートするために使用されている。図９おいて、第１のステップとして、例えば、線１２４に沿って剥離ライナー１０８を引きはがすことにより、第１の剥離ライナー部１３４をテープ１０２のアンカー部１１２の粘着面１０４から除去する。図１０において、アンカー部１１２が背下部１４２にわたって横方向に延びるように、アンカー部１１２の粘着面１０４を背下部１４２に貼付する。
【００５５】
図１１及び１２において、第２の剥離ライナー部１３６ａをフィンガー部１１４ａの粘着面１０４から除去する（すなわち、フィンガー部１１４ａには２の数字が付されている）。そして、フィンガー部１１４ａが背下部１４２の概ね平らな表面に横たわり、フィンガー部１１４ａがアンカー部１１２から背下部１４２に沿って上方に延びるように、フィンガー部１１４ａの粘着面１０４を背下部１４２に貼付する。第２の剥離ライナー部１３６ａをフィンガー部１１４ａの粘着面１０４から除去する時は、任意で最初は部分的にのみ除去する。例えば、第２の剥離ライナー部１３６ａをフォールドライン１２６ａまではがし、フォールドライン１２６ａで第２の剥離ライナー部１３６ａを折り曲げる。上述のように、これによりつかみ部１２８が作られ、ユーザーは指にテープ１０２を貼付することなく、つかみ部１２８をつかむことができる。
【００５６】
第２の剥離ライナー部１３６ａを除去し、フィンガー部１１４ａを貼り付けている間は、フィンガー補強レイヤー１３８ａはフィンガー部１１４ａの非粘着面１０６上に残している。背下部１４２にフィンガー部１１４ａの粘着面１０４を貼付する際に、フィンガー補強レイヤー１３８ａは、フィンガー部１１４ａが伸びることを抑制するために使用される。すなわち、キネシオロジテープにより身体の部分をサポートする際に、テープを伸ばさずにテープを貼り付けることは有益である。しかしながら、テープの高い伸縮性に起因して、テープを伸ばさずにテープを貼り付けることは困難である。貼り付けている間、フィンガー補強レイヤー１３８ａをフィンガー部１１４ａに残すことにより、テープ１０２が伸びることは抑制され、テープ１０２の適した貼り付けが促進される。
【００５７】
補強レイヤーは伸縮を抑制することが評価されるが、テープはまだわずかに伸び、及び／または特定の位置で伸びる。例えば、フィンガー部１１４ａ〜１１４ｄをアンカー部１１２に対して特定の角度で貼り付けることにより、フィンガー部１１４ａ〜１１４ｄは、フィンガー部１１４ａ〜１１４ｄとアンカー部１１２との間の連接部の近くで曲がる可能性がある。このフィンガー部１１４ａ〜１１４ｄの曲がりにより、幾分かの伸縮がフィンガー部１１４ａ〜１１４ｄの曲がった領域に加えられる。
【００５８】
さらに、フィンガー部１１４ａを貼り付けている間、フィンガー部１１４ａ上にフィンガー補強レイヤー１３８ａを残すことにより、フィンガー部１１４ａが折れ曲がってフィンガー部１１４ａ自身に貼付してしまうことを抑制する。
【００５９】
フィンガー部１１４ａ〜１１４ｄの大部分（すなわち、つかみ部１２８に覆われていない部分）を患者に貼り付けた後、つかみ部１２８をフィンガー部１１４ａ〜１１４ｄから除去する。
【００６０】
図１３及び１４において、追加フィンガー部１１４ｂ〜１１４ｄがフィンガー部１１４ａと同様の方法で背下部に貼り付けられる。すなわち、各追加フィンガー部１１４ｂ〜１１４ｄについては、フィンガー補強レイヤー１３８ｂ〜１３８ｄ（「追加フィンガー補強レイヤー」という）を追加フィンガー部１１４ｂ〜１１４ｄの非粘着面１０６上に残して、第２の剥離ライナー部１３６ｂ〜１３６ｄ（「追加剥離ライナー部」という）のそれぞれを追加フィンガー部１１４ｂ〜１１４ｄの粘着面１０４から除去する。テープ１０２が概ね平らに背下部に横たわるように、追加フィンガー部１１４ｂ〜１１４ｄの粘着面１０４を背下部に貼付する。
【００６１】
テープ１０２を貼り付けている間は、ユーザーは指示を見ることができる。指示は、例えば、第１のセットの指示１３０、第２のセットの指示１３２、及び／または分離した指示である。ユーザーは、指示と一致する順番でアンカー部１１２及び／またはフィンガー部１１４ａ〜１１４ｄを貼り付ける。例えば、アンカー部１１２上の剥離ライナー１０８の部分及び、アンカー１１２上の補強レイヤー１１０の部分に１の数字が記されていた場合、ユーザーはアンカー部１１２を最初に貼り付ける。フィンガー部１１４ａ上の剥離ライナー１０８の部分及び、フィンガー部１１４ａ上の補強レイヤー１１０の部分に２の数字が記されていた場合、ユーザーはフィンガー部１１４ａを２番目に貼り付ける。
【００６２】
図１５及び１６において、補強レイヤー１１０がテープ１０２から除去されている。この例では、補強レイヤー１１０は単一のピースとしてテープ１０２の全体を実質的に覆っているため、単一のはがすステップで除去することができる（すなわち、フィンガー補強レイヤー１３８ａ〜１３８ｄとアンカー補強レイヤー１４０は一緒に除去される）。
【００６３】
他の実施例では、図２０に示すように、補強レイヤー１１０はアンカー部１１２とフィンガー部１１４との間の１以上の連接部に沿って弱められている。または、図２１に示すように、補強レイヤー１１０はアンカー部１１２上及び複数のフィンガー部１１４上に分離されたピースとして備えられている。このような実施例においては、補強レイヤー１１０は段階的な方法で除去される。例えば、図２０では、アンカー部を貼り付けている間は、アンカー補強レイヤー２０４０はアンカー部に残されており、アンカー部の粘着面を背下部に貼付してる間、アンカー部が伸びることを抑制するために使用される。アンカー部を貼り付けた後、補強レイヤー２０１０は線２０２４に沿って引き剥がされ、アンカー補強レイヤー２０４０はアンカー部の非粘着面から除去される。各フィンガー部を背下部へ貼り付けたそれぞれの後か、全てのフィンガー部を背下部に貼り付けた後のいずれかに、フィンガー補強レイヤー２０３８ａ〜２０３８ｄは、段階的な方法で除去される。補強レイヤーを引き剥がすステップは省略するが、図２１のサポート具２１００も同様の方法で貼り付けることができる。
【００６４】
さらに別の実施例（図示しない）では、既述のように、フィンガー補強レイヤー１３８ａ〜１３８ｄのみで、アンカー補強レイヤー１４０を備えない補強レイヤー１１０としてもよい。この実施例では、各フィンガー部１１４ａ〜１１４ｄを背下部１４２へ貼り付けたそれぞれの後か、全てのフィンガー部１１４ａ〜１１４ｄを背下部１４２に貼り付けた後のいずれかに、フィンガー補強レイヤー１３８ａ〜１３８ｄは、段階的な方法で除去される。
【００６５】
上述のように、１以上の方法や器具の実施例を提供したが、これ以外の特許請求の範囲に含まれる他の方法や器具も適切なものである。
【図１】
2016168333.tif 000003
【図２】
2016168333.tif 000004
【図３】
2016168333.tif 000005
【図４】
2016168333.tif 000006
【図５】
2016168333.tif 000007
【図６】
2016168333.tif 000008
【図７】
2016168333.tif 000009
【図８】
2016168333.tif 000010
【図９】
2016168333.tif 000011
【図１０】
2016168333.tif 000012
【図１１】
2016168333.tif 000013
【図１２】
2016168333.tif 000014
【図１３】
2016168333.tif 000015
【図１４】
2016168333.tif 000016
【図１５】
2016168333.tif 000017
【図１６】
2016168333.tif 000018
【図１７】
2016168333.tif 000019
【図１８】
2016168333.tif 000020
【図１９】
2016168333.tif 000021
【図２０】
2016168333.tif 000022
【図２１】
2016168333.tif 000023
【図２２】
2016168333.tif 000024